【手続補正書】
【提出日】平成26年4月8日(2014.4.8)
【手続補正１】
【補正対象書類名】明細書
【補正対象項目名】０００８
【補正方法】変更
【補正の内容】
【０００８】
本発明の請求項１に係る電子機器は、表示部を備えた電子機器において、見出し語と説明情報が対応付けられた複数の日本語の辞書と複数の英語の辞書とを記憶する辞書記憶手段に記憶された各辞書の中からユーザ操作に応じて検索対象とする日本語の辞書と英語の辞書とを設定する日英辞書設定手段と、テキストを前記表示部に設けられたメイン画面に表示させるテキスト表示制御手段と、このテキスト表示手段によって表示されたテキストに含まれる文字列のうちのユーザ指定の文字列について、前記日英辞書設定手段によって設定された各辞書を検索する辞書検索手段と、この辞書検索手段によって前記日本語又は英語の辞書で前記文字列に対応した見出し語が検索された場合に、当該見出し語の説明情報と当該見出し語が検索された日本語又は英語の辞書の辞書名とを前記表示部の前記メイン画面とは異なるサブ画面に表示させる情報辞書名表示制御手段と、を具備したことを特徴とする具備したことを特徴とする。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１５
【補正方法】変更
【補正の内容】
【００１５】
請求項１に記載の発明によれば、ユーザ操作に応じて検索対象とする日本語の辞書と英語の辞書とを設定しておけば、表示中のテキストに含まれる文字列のうちのユーザ指定の文字列について、前記設定した各辞書で検索することができ、見出し語の説明情報と検索された辞書の辞書名とを前記表示部の前記メイン画面とは異なるサブ画面に表示させることができる。
【手続補正５】
【補正対象書類名】特許請求の範囲
【補正対象項目名】全文
【補正方法】変更
【補正の内容】
【特許請求の範囲】
【請求項１】
表示部を備えた電子機器において、
見出し語と説明情報が対応付けられた複数の日本語の辞書と複数の英語の辞書とを記憶する辞書記憶手段に記憶された各辞書の中からユーザ操作に応じて検索対象とする日本語の辞書と英語の辞書とを設定する日英辞書設定手段と、
テキストを前記表示部に設けられたメイン画面に表示させるテキスト表示制御手段と、
このテキスト表示手段によって表示されたテキストに含まれる文字列のうちのユーザ指定の文字列について、前記日英辞書設定手段によって設定された各辞書を検索する辞書検索手段と、
この辞書検索手段によって前記日本語又は英語の辞書で前記ユーザ指定の文字列に対応した見出し語が検索された場合に、当該見出し語の説明情報と当該見出し語が検索された日本語又は英語の辞書の辞書名とを前記表示部の前記メイン画面とは異なるサブ画面に表示させる情報辞書名表示制御手段と、
を具備したことを特徴とする電子機器。
【請求項２】
前記検索対象として設定される辞書の説明情報のうち表示させる情報の種類である表示種類を設定する表示種類設定手段を備え、
前記情報辞書名表示制御手段は、前記検索された見出し語の説明情報のうちの前記表示種類設定手段により設定された種類の情報を前記サブ画面に表示させることを特徴とする請求項１に記載の電子機器。
【請求項３】
前記日英辞書設定手段は、さらに、同じ言語に関し、第１および第２の辞書を検索対象として設定する同言語複数辞書設定手段を備え、
前記辞書検索手段は、前記同言語複数辞書設定手段により設定された前記第１の辞書を検索した後に前記第２の辞書を検索する順次検索手段を備えることを特徴とする請求項１又は２に記載の電子機器。
【請求項４】
前記情報辞書名表示制御手段は、前記同言語複数辞書設定手段によって設定された前記第１の辞書で検索した見出し語について、さらに前記第２の辞書を検索することにより、前記第１および第２の辞書のそれぞれから得られた表示種類の情報と、当該見出し語が検索された日本語又は英語の辞書の辞書名とそれぞれ並べて前記サブ画面に表示することを特徴とする請求項３に記載の電子機器。
【請求項５】
前記表示種類には画像を含み、
前記情報辞書名表示制御は、前記サブ画面上で前記表示種類として表示された画像が選択された際に、当該辞書から前記画像に対応した見出し語の説明情報の本文を読み出して前記メイン画面に当該見出し語が検索された辞書名とともに表示することを特徴とする請求項２記載の電子機器。
【請求項６】
前記辞書記憶手段に記憶された各辞書には、学習対象とする単語が登録された特殊辞書を含み、
前記日英辞書設定手段によって前記特殊辞書が検索対象として設定されている場合に、前記情報辞書名表示制御手段によって前記サブ画面上に表示された前記特殊辞書に登録された単語に関する情報の確認操作に伴い、当該単語を学習済みとして登録する学習単語登録手段をさらに具備したことを特徴とする請求項１記載の電子機器。
【請求項７】
表示部を備えた電子機器において、
見出し語と説明情報が対応付けられた複数の日本語の辞書に記憶された各辞書の中からユーザ操作に応じて検索対象とする日本語の辞書を設定する設定手段と、
テキストを前記表示部に設けられたメイン画面に表示させるテキスト表示制御手段と、
このテキスト表示手段によって表示されたテキストに含まれる文字列のうちのユーザ指定の文字列について、前記設定手段によって設定された辞書を検索する辞書検索手段と、
この辞書検索手段によって前記日本語の辞書で前記ユーザ指定の文字列に対応した見出し語が検索された場合に、当該見出し語の説明情報と当該見出し語が検索された日本語の辞書名とを前記表示部の前記メイン画面とは異なるサブ画面に表示させる情報辞書名表示制御手段と、
を具備したことを特徴とする電子機器。
【請求項８】
表示部を備えた電子機器において、
見出し語と説明情報が対応付けられた複数の英語の辞書を記憶する辞書記憶手段に記憶された各辞書の中からユーザ操作に応じて検索対象とする英語の辞書を設定する辞書設定手段と、
テキストを前記表示部に設けられたメイン画面に表示させるテキスト表示制御手段と、
このテキスト表示手段によって表示されたテキストに含まれる文字列のうちのユーザ指定の文字列について、前記辞書設定手段によって設定された辞書を検索する辞書検索手段と、
この辞書検索手段によって前記英語の辞書で前記ユーザ指定の文字列に対応した見出し語が検索された場合に、当該見出し語の説明情報と当該見出し語が検索された英語の辞書の辞書名とを前記表示部の前記メイン画面とは異なるサブ画面に表示させる情報辞書名表示制御手段と、
を具備したことを特徴とする電子機器。
【請求項９】
前記検索対象として設定される辞書の説明情報のうち表示させる情報の種類である表示種類を設定する表示種類設定手段を備え、
前記情報辞書名表示制御手段は、前記検索された見出し語の説明情報のうちの前記表示種類設定手段により設定された種類の情報を前記サブ画面に表示させることを特徴とする請求項７又は８に記載の電子機器。
【請求項１０】
表示部を備えた電子機器を制御するためのコンピュータによって実行されるプログラムであって、
前記コンピュータに、
見出し語と説明情報が対応付けられた複数の日本語の辞書と複数の英語の辞書とを記憶する辞書記憶手段に記憶された各辞書の中からユーザ操作に応じて検索対象とする日本語の辞書と英語の辞書とを設定する機能と、
テキストを前記表示部に設けられたメイン画面に表示させる機能と、
この表示されたテキストに含まれる文字列のうちのユーザ指定の文字列について、当該設定された各辞書を検索する機能と、
前記検索対象とする日本語又は英語の辞書で前記ユーザ指定の文字列に対応した見出し語が検索された場合に、当該見出し語の説明情報と当該見出し語が検索された日本語又は英語の辞書の辞書名とを前記表示部の前記メイン画面とは異なるサブ画面に表示させる機能と、
を実現させることを特徴とするプログラム。
【請求項１１】
表示部を備えた電子機器を制御するためのコンピュータによって実行されるプログラムであって、
前記コンピュータに、
見出し語と説明情報が対応付けられた複数の日本語の辞書を記憶する辞書記憶手段に記憶された各辞書の中からユーザ操作に応じて検索対象とする日本語の辞書を設定する機能と、
テキストを前記表示部に設けられたメイン画面に表示させる機能と、
この表示されたテキストに含まれる文字列のうちのユーザ指定の文字列について、当該設定された辞書を検索する機能と、
前記検索対象とする日本語の辞書で前記ユーザ指定の文字列に対応した見出し語が検索された場合に、当該見出し語の説明情報と当該見出し語が検索された日本語の辞書の辞書名とを前記表示部の前記メイン画面とは異なるサブ画面に表示させる機能と、
を実現させることを特徴とするプログラム。
【請求項１２】
表示部を備えた電子機器を制御するためのコンピュータによって実行されるプログラムであって、
前記コンピュータに、
見出し語と説明情報が対応付けられた複数の英語の辞書を記憶する辞書記憶手段に記憶された各辞書の中からユーザ操作に応じて検索対象とする英語の辞書を設定する機能と、
テキストを前記表示部に設けられたメイン画面に表示させる機能と、
この表示されたテキストに含まれる文字列のうちのユーザ指定の文字列について、当該設定された辞書を検索する機能と、
前記検索対象とする英語の辞書で前記ユーザ指定の文字列に対応した見出し語が検索された場合に、当該見出し語の説明情報と当該見出し語が検索された英語の辞書の辞書名とを前記表示部の前記メイン画面とは異なるサブ画面に表示させる機能と、
を実現させることを特徴とするプログラム。